(57)【要約】      （修正有）【課題】画像読取装置で取得された読取画像を、携帯端末側で早期、且つ、正確に確認する。【解決手段】複合機２は、画像読取部２２により原稿画像を読み取って読取画像を取得する読取処理と、読取画像と同一倍率であり、且つ、携帯端末３の表示部３３の表示能力に対応した画像サイズの部分画像のデータを生成する部分画像生成処理と、読取側通信部２３により部分画像のデータを携帯端末に送信する部分送信処理と、その実行後、携帯端末から全体画像要求命令を受信したと判断した場合、読取画像全体のデータを携帯端末に送信する全体送信処理と、を実行する構成を有する。【選択図】図１
2014011613.tif 000002
【特許請求の範囲】
【請求項１】
表示部を有する携帯端末とデータ通信を行う通信部と、
原稿シート上の原稿画像を読み取る画像読取部と、
制御部と、を備え、
前記制御部は、
前記画像読取部により前記原稿画像を読み取って読取画像を取得する読取処理と、
前記読取画像と同一倍率であり、且つ、前記読取画像のうち前記表示部の表示能力に対応した画像サイズの部分画像のデータを生成する部分画像生成処理と、
前記通信部により前記部分画像のデータを前記携帯端末に送信する部分送信処理と、
前記部分送信処理の実行後、前記通信部により前記携帯端末から全体画像要求命令を受信したかどうかを判断する判断処理と、
前記判断処理で前記全体画像要求命令を受信したと判断した場合、前記通信部により前記読取画像全体のデータを前記携帯端末に送信する全体送信処理と、を実行する構成を有する画像読取装置。
【請求項２】
請求項１に記載の画像読取装置であって、
前記制御部は、
前記読取画像から、画素値が基準画素値以上である基準画素を抽出する抽出処理を実行する構成を有し、
前記部分画像生成処理では、前記基準画素を含んだ前記画像サイズの画像を前記部分画像とする、画像読取装置。
【請求項３】
請求項２に記載の画像読取装置であって、
前記制御部は、
前記抽出処理では、
前記読取画像を、複数のブロックに分割し、当該複数のブロックから、前記基準画素の数、または、当該ブロック内の全画素に対する前記基準画素の割合が基準値を超える基準ブロックを抽出し、
前記部分画像生成処理では、前記基準ブロックを含んだ前記画像サイズの画像を前記部分画像とする、画像読取装置。
【請求項４】
請求項１または２に記載の画像読取装置であって、
前記制御部は、
前記読取処理の実行中に、前記部分画像生成処理および前記部分送信処理を実行し、
前記判断処理で前記全体画像要求命令を受信したと判断した場合、前記読取処理を続行し、前記全体画像要求命令を受信していないと判断した場合、前記読取処理を中止する、画像読取装置。
【請求項５】
請求項１から３のいずれか一項に記載の画像読取装置であって、
前記制御部は、
前記読取画像のデータが記憶される第１記憶領域、および、前記部分画像のデータが記憶される第２記憶領域を有する記憶部を有する構成であり、
前記部分送信処理では、前記部分画像のデータの一部が前記第２記憶領域に記憶された時点から、当該部分画像のデータの一部を前記携帯端末に送信し始める、画像読取装置。
【請求項６】
請求項１から４のいずれか一項に記載の画像読取装置であって、
前記制御部は、
前記通信部により、前記表示能力に関する情報を前記携帯端末から受信する表示能力受信処理を実行する構成を有する、画像読取装置。
【請求項７】
携帯端末と画像読取装置とを備える画像読取システムであって、
前記携帯端末は、
前記画像読取装置とデータ通信を行う端末側通信部と、
表示部と、
ユーザの操作を受け付ける受付部と、
端末側制御部と、を有し、
前記画像読取装置は、
前記携帯端末とデータ通信を行う読取側通信部と、
原稿シート上の原稿画像を読み取る画像読取部と、
読取側制御部と、を有し、
前記端末側制御部は、
前記端末側通信部により、前記受付部が受け付けた全体画像要求命令を前記画像読取装置に送信する要求命令送信処理を実行する構成を有し、
前記読取側制御部は、
前記画像読取部により前記原稿画像を読み取って読取画像を取得する読取処理と、
前記読取画像と同一倍率であり、且つ、前記読取画像のうち前記表示部の表示能力に対応した画像サイズの部分画像のデータを生成する部分画像生成処理と、
前記通信部により前記部分画像のデータを前記携帯端末に送信する部分送信処理と、
前記部分送信処理の実行後、前記読取側通信部により前記全体画像要求命令を受信したかどうかを判断する判断処理と、
前記判断処理で前記全体画像要求命令を受信したと判断した場合、前記読取側通信部により前記読取画像全体のデータを前記携帯端末に送信する全体送信処理と、を実行する構成を有する画像読取システム。
【請求項８】
表示部を有する携帯端末とデータ通信を行う通信部、及び、原稿シート上の原稿画像を読み取る画像読取部を有する画像読取装置に、
前記画像読取部により前記原稿画像を読み取って読取画像を取得する読取処理と、
前記読取画像と同一倍率であり、且つ、前記読取画像のうち前記表示部の表示能力に対応した画像サイズの部分画像のデータを生成する部分画像生成処理と、
前記通信部により前記部分画像のデータを前記携帯端末に送信する部分送信処理と、
前記部分送信処理の実行後、前記通信部により前記携帯端末から全体画像要求命令を受信したかどうかを判断する判断処理と、
前記判断処理で前記全体画像要求命令を受信したと判断した場合、前記通信部により前記読取画像全体のデータを前記携帯端末に送信する全体送信処理と、を実行させる画像読取プログラム。
【請求項９】
原稿シート上の原稿画像を読み取って読取画像を取得する画像読取装置とデータ通信を行う通信部、表示部、及び、ユーザの操作を受け付ける受付部を備える携帯端末に、
前記通信部により、前記画像読取装置から、前記読取画像と同一倍率であり、且つ、前記読取画像のうち前記表示部の表示能力に対応した画像サイズの部分画像のデータを受信する部分受信処理と、
前記部分画像を前記表示部に表示させる部分表示処理と、
前記通信部により、前記受付部が受け付けた全体画像要求命令を前記画像読取装置に送信する要求命令送信処理と、
前記要求命令送信処理後に、前記画像読取装置から前記読取画像全体のデータを受信する全体受信処理と、を実行させる携帯端末用プログラム。
【発明の詳細な説明】
【技術分野】
【０００１】
画像読取装置で取得された読取画像のデータを、携帯端末に送信する技術に関する。
【背景技術】
【０００２】
従来から、画像読取装置で取得された読取画像のデータを、携帯端末に送信する技術がある。その一例として、複合機が、原稿シート上の原稿画像を読み取って取得した読取画像のデータから、携帯端末の表示サイズに合わせた画像サイズに縮小した縮小画像のデータを生成したり、読取画像を、表示サイズに細分化した複数の分割画像のデータを生成したりして、それらを１つのファイルにまとめて携帯端末に送信する技術がある（特許文献１参照）。縮小画像のデータや複数の分割画像のデータは、表示サイズに応じたサイズなので、読取画像のデータそのものに比べて、携帯端末側で容易に扱うことができる。
【先行技術文献】
【特許文献】
【０００３】
【特許文献１】特開２０１１−９１６６３号公報
【発明の概要】
【発明が解決しようとする課題】
【０００４】
ところで、読取画像のデータそのものを、画像読取装置から携帯端末に送信したい場合がある。例えば、読取画像のデータを、携帯端末から外出先のプリンタに転送して印刷出力したり、クラウド用サーバに転送したりするためである。しかし、上記従来の技術では、読取画像のデータそのものではなく、それを加工した縮小画像のデータや複数の分割画像のデータしか送信されない。
【０００５】
また、画像読取装置で取得された読取画像が、ユーザの希望したものと異なることがある。例えば、読取画像中の原稿画像が傾いていたり、原稿画像の天地が逆転していたり、原稿画像の解像度が低いために文字等が見づらかったりする。このため、読取画像を、携帯端末の表示部に表示させて確認するのが好ましい。しかし、上記従来の技術において縮小画像を表示しても、縮小画像は比較的に解像度が低いため、正確に読取画像を確認することができない。また、上記従来の技術では、縮小画像のデータおよび複数の分割画像のデータを１つのファイルにまとめた膨大な量のデータを携帯端末に送信するため、送信時間が長くなり、携帯端末でそれらの画像を表示して確認するまでに時間がかかってしまう。
【０００６】
本明細書では、上記従来の技術に比べて、画像読取装置で取得された読取画像を、携帯端末側で早期、且つ、正確に確認することが可能な技術を開示する。
【課題を解決するための手段】
【０００７】
本明細書によって開示される画像読取装置は、表示部を有する携帯端末とデータ通信を行う通信部と、原稿シート上の原稿画像を読み取る画像読取部と、制御部と、を備え、前記制御部は、前記画像読取部により前記原稿画像を読み取って読取画像を取得する読取処理と、前記読取画像と同一倍率であり、且つ、前記読取画像のうち前記表示部の表示能力に対応した画像サイズの部分画像のデータを生成する部分画像生成処理と、前記通信部により前記部分画像のデータを前記携帯端末に送信する部分送信処理と、前記部分送信処理の実行後、前記通信部により前記携帯端末から全体画像要求命令を受信したかどうかを判断する判断処理と、前記判断処理で前記全体画像要求命令を受信したと判断した場合、前記通信部により前記読取画像全体のデータを前記携帯端末に送信する全体送信処理と、を実行する構成を有する。
【０００８】
この画像読取装置によれば、読取画像と同一倍率であり、且つ、携帯端末の表示部の表示能力に対応した画像サイズの部分画像のデータが生成され、携帯端末に送信される。部分画像のデータは、読取画像全体のデータに比べてデータ量が少ない分だけ、携帯端末に短時間で送信することができる。また、部分画像は、その倍率が読取画像と同一であり、且つ、その画像サイズが、携帯端末の表示部の表示能力に対応しているため、読取画像の一部分を縮小することなくそのまま表示部に表示することができる。これにより、上記従来の技術に比べて、画像読取装置で読み取られた原稿の読取画像を、携帯端末側で早期、且つ、正確に確認することが可能である。
【０００９】
上記画像読取装置では、前記制御部は、前記読取画像から、画素値が基準画素値以上である基準画素を抽出する抽出処理を実行する構成を有し、前記部分画像生成処理では、前記基準画素を含んだ前記画像サイズの画像を前記部分画像としてもよい。
【００１０】
この画像読取装置によれば、読取画像から、画素値が基準値以上である基準画素が抽出され、その基準画素を含んだ画像サイズの画像が部分画像とされる。これにより、基準画素を抽出せずに部分画像を決定する構成に比べて、原稿画像上の文字、図形、記号等が、部分画像に含まれずに携帯端末の表示部で確認できないことが発生することを抑制することが可能である。
【００１１】
上記画像読取装置では、前記制御部は、前記抽出処理では、前記読取画像を、複数のブロックに分割し、当該複数のブロックから、前記基準画素の数、または、当該ブロック内の全画素に対する前記基準画素の割合が基準値を超える基準ブロックを抽出し、前記部分画像生成処理では、前記基準ブロックを含んだ前記画像サイズの画像を前記部分画像としてもよい。
【００１２】
この画像読取装置によれば、読取画像が複数のブロックに分割され、それら複数のブロックから、基準画素の数、または、当該ブロック内の全画素に対する基準画素の割合が基準値を超える基準ブロックが抽出される。そして、その基準ブロックを含んだ画像サイズの画像が部分画像とされる。これにより、１つの基準画素だけで部分画像を決定する構成に比べて、原稿シート上のゴミなどのノイズ画像の影響を抑制することができる。
【００１３】
上記画像読取装置では、前記制御部は、前記読取処理の実行中に、前記部分画像生成処理および前記部分送信処理を実行し、前記判断処理で前記全体画像要求命令を受信したと判断した場合、前記読取処理を続行し、前記全体画像要求命令を受信していないと判断した場合、前記読取処理を中止してもよい。
【００１４】
この画像読取装置によれば、全体画像要求命令を受信したと判断された場合、読取処理を続行し、全体画像要求命令を受信していないと判断された場合、読取処理が中止される。これにより、全体画像要求命令が無いにもかかわらず、無駄に読取処理が続行されることを抑制することが可能である。
【００１５】
上記画像読取装置では、前記制御部は、前記読取画像のデータが記憶される第１記憶領域、および、前記部分画像のデータが記憶される第２記憶領域を有する記憶部を有する構成であり、前記部分送信処理では、前記部分画像のデータの一部が前記第２記憶領域に記憶された時点から、当該部分画像のデータの一部を前記携帯端末に送信し始めてもよい。
【００１６】
この画像読取装置によれば、部分画像のデータの一部が第２記憶領域に記憶された時点から、当該部分画像のデータの一部が携帯端末に送信され始める。これにより、部分画像のデータの送信を、当該部分画像のデータ全てが第２記憶領域に記憶されるまで待ってから開始する構成に比べて、部分画像を早期に携帯端末側で送信してユーザに確認させることが可能である。
【００１７】
上記画像読取装置では、前記制御部は、前記通信部により、前記表示能力に関する情報を前記携帯端末から受信する表示能力受信処理を実行する構成を有してもよい。
【００１８】
この画像読取装置によれば、表示能力に関する情報が携帯端末から受信される。これにより、現在、読取画像のデータの送信先としている携帯端末の表示能力を正確に把握することができる。
【００１９】
なお、この発明は、画像読取システム、携帯端末、画像読取方法、画像受信方法、これらの方法または装置の機能を実現するためのコンピュータプログラム、そのコンピュータプログラムを記録した記録媒体等の種々の態様で実現することができる。
【発明の効果】
【００２０】
本明細書によって開示される発明によれば、上記従来の技術に比べて、画像読取装置で取得された読取画像を、携帯端末側で早期、且つ、正確に確認することが可能である。
【図面の簡単な説明】
【００２１】
【図１】一実施形態に係る画像読取システムの電気的構成図
【図２】受信制御処理を示すフローチャート
【図３】読取制御処理を示すフローチャート
【図４】原稿シートの模式図
【図５】分割された読取画像の説明図
【図６】部分画像を表示した携帯端末の模式図
【図７】縮小画像を表示した携帯端末の模式図
【発明を実施するための形態】
【００２２】
一実施形態の画像読取システム１について図１〜図７を参照しつつ説明する。画像読取システム１は、複合機２と携帯端末３とを備え、無線方式により互いにデータ通信が可能である。
【００２３】
（複合機の電気的構成）
図１に示すように、複合機２は、画像読取装置の一例であり、画像読取機能に加えて、複製機能など、複数の機能を実行可能である。具体的には、複合機２は、無線通信部２１、画像読取部２２、読取側制御部２３および印刷部２４等を備える。
【００２４】
無線通信部２１は、読取側通信部の一例であり、無線方式により携帯端末３とのデータ通信を行う。画像読取部２２は、ＣＩＳ（Ｃｏｎｔａｃｔ  Ｉｍａｇｅ  Ｓｅｎｓｏｒ）を有し、原稿シートＭ（図４参照）上の原稿画像Ｇを読み取って、その読取画像Ｈに応じた画素列の読取データを出力する読取デバイスである。なお、画像読取部２２は、ＣＩＳに限らず、例えばＣＣＤ（Ｃｈａｒｇｅ  Ｃｏｕｐｌｅｄ  Ｄｒｉｖｅ  Ｉｍａｇｅ  Ｓｅｎｓｏｒ）を有する構成でもよい。
【００２５】
読取側制御部２３は、中央処理装置（以下、ＣＰＵ）２５、ＲＯＭ２６、ＲＡＭ２７および画像処理部２８を有する。ＲＯＭ２６には、後述する読取制御処理を実行するためのプログラム（画像読取プログラムの一例）や、この複合機２の各種の動作を実行するためのプログラムが記憶されている。ＣＰＵ２５は、ＲＯＭ２６から読み出したプログラムに従って、複合機２の各部を制御する。なお、上記各種のプログラムが記憶される媒体は、ＲＯＭ２６やＲＡＭ２７以外に、ＣＤ−ＲＯＭ、ハードディスク装置、フラッシュメモリ（登録商標）などの不揮発性メモリでもよい。
【００２６】
ＲＡＭ２７は、記憶部の一例であり、画像読取部２２から出力された上記読取データが図示しないＡＤ変換部によりＡＤ変換され、画像処理部２８によりシェーディング補正等の処理がされた後に記憶される。画像処理部２８は、例えば画像処理専用のハード回路であって、シェーディング補正等の処理や、後述するブロック分割処理等を実行する。印刷部２４は、上記読取データなどの画像データに基づく画像を、例えば電子写真方式やインクジェット方式により図示しない未印刷のシートに印刷する。
【００２７】
（携帯端末の電気的構成）
携帯端末３は、無線通信部３１、操作部３２、表示部３３および端末側制御部３４等を備える。無線通信部２１は、端末側通信部の一例であり、無線方式により複合機２とのデータ通信を行う。図６，７に示すように、操作部３２は、受付部の一例であり、複数のボタンを有し、ユーザにより各種の入力操作が可能である。表示部３３は、例えば液晶ディスプレイや有機ＥＬ等の表示画面３３Ａを有し、各種の設定画面や読取画像Ｈ等を表示することが可能である。なお、操作部３２及び表示部３３は、別々に配置されたものでもよいが、表示画面３３Ａ上でユーザによるタッチ入力が可能なタッチパネル部など、両者が一体化されたものでもよい。
【００２８】
端末側制御部３４は、中央処理装置（以下、ＣＰＵ）３５、ＲＯＭ３６、ＲＡＭ３７を有する。ＲＯＭ３６には、後述する読取受信処理を実行するためのプログラム（携帯端末用プログラムの一例）や、この携帯端末３の各種の動作を実行するためのプログラムが記憶されている。ＣＰＵ３５は、ＲＯＭ３６から読み出したプログラムに従って、携帯端末３の各部を制御する。なお、上記各種のプログラムが記憶される媒体は、ＲＯＭ３６やＲＡＭ３７以外に、ＣＤ−ＲＯＭ、ハードディスク装置、フラッシュメモリなどの不揮発性メモリでもよい。
【００２９】
（画像読取システムの制御処理）
以下、複合機２により、図４に示す原稿シートＭ上の原稿画像Ｇを読み取って、最終的には、その読取画像Ｈ全体のデータを携帯端末３に送信する場合を例に挙げて説明する。原稿画像Ｇには、原稿シートＭの左上部分に描かれた第１原稿画像Ｇ１、右上部分に描かれた第２原稿画像Ｇ２、下側部分に描かれた第３原稿画像Ｇ３が含まれる。
【００３０】
（１）携帯端末による読取命令および表示能力情報の送信等
例えばユーザにより携帯端末３の電源がオンされ、画像読取用ソフトが起動されると、端末側制御部３４は、図２に示す受信制御処理を実行する。まずＣＰＵ３５は、例えば解像度やカラー／モノクロ等の読取条件が設定されたかどうかを判断する（Ｓ１）。ユーザは、操作部３２の入力操作により各種の読取条件を設定することができる。ＣＰＵ３５は、読取条件が設定されたと判断した場合（Ｓ１：ＹＥＳ）、読取指示がされたかどうかを判断する（Ｓ２）。ユーザは、操作部３２の入力操作により読取指示をすることができる。
【００３１】
ＣＰＵ３５は、読取指示がされたと判断した場合（Ｓ２：ＹＥＳ）、無線通信部３１により、上記読取条件を含んだ読取命令、および、表示能力情報を複合機２に送信する（Ｓ３、Ｓ４  図１参照）。表示能力情報は、表示画面３３Ａ中の画像表示部分の表示サイズや解像度等、表示部３３の表示能力に関する情報である。以下、表示能力情報として、横幅Ｘ（例えば４８０画素）、および、縦幅Ｙ（例えば６４０画素）を例に挙げて説明する（図６参照）。なお、表示能力情報は、予めＲＯＭ３６に記憶されている。また、図６，７では、画像表示部分は、表示画面３３Ａと同じサイズであるが、表示画面３３Ａよりも小さいサイズでもよい。
【００３２】
（２）複合機による部分画像のデータの送信等
例えば複合機２の電源をオンすると、読取側制御部２３は、図３に示す読取制御処理を実行する。まずＣＰＵ２５は、無線通信部２１により、上記読取命令を携帯端末３から受信したかどうかを判断する（Ｓ２１）。ＣＰＵ２５は、読取命令を受信したと判断した場合（Ｓ２１：ＹＥＳ）、無線通信部２１により、上記表示能力情報を携帯端末３から受信する（Ｓ２２）。これにより、複合機２は、複数機種の携帯端末３が読取データの送信先とされる可能性がある場合において、現在の送信先である携帯端末３から、当該携帯端末３自身の表示能力情報を取得することができる。
【００３３】
ＣＰＵ２５は、表示能力情報を受信すると、その表示能力情報に基づき、ＲＡＭ２７内に、携帯端末３の上記表示能力に応じた記憶容量の部分画像バッファ２７Ｂを確保する（Ｓ２３）。例えば、表示サイズが大きいほど、部分画像バッファ２７Ｂの記憶容量は大きくなり、また、解像度が高いほど、部分画像バッファ２７Ｂの記憶容量は大きくなる。但し、その記憶容量は、後述する部分画像Ｈ１のデータのデータ量よりも小さくてもよい。なお、ＲＡＭ２７には、全体画像バッファ２７Ａが確保されており、ここには、画像読取部２２から出力された上記読取データが記憶される。全体画像バッファ２７Ａは第１記憶領域の一例であり、部分画像バッファ２７Ｂは第２記憶領域の一例である。
【００３４】
ＣＰＵ２５は、部分画像バッファ２７Ｂを確保すると、画像読取部２２により原稿画像Ｇを読み取って読取画像Ｈの読取データを取得する読取処理の実行を開始する（Ｓ２４）。これにより、画像読取部２２は、図４に示す原稿シートＭの上端から下端に向かって順次、原稿画像Ｇを読み取っていき、その結果、読取データが全体画像バッファ２７Ａに順次記憶されていく。
【００３５】
画像読取部２２から出力された読取データは、図示しないＡＤ変換部によりＡＤ変換され、０〜２５５の画素値に変換される。なお、画素値０は黒色、画素値２５５は白色を示す。画像処理部２８は、読取処理を開始すると、その読取画像Ｈから、画素値が０〜２２４の範囲である基準画素を抽出する抽出処理を実行し、文字、図形、記号等が含まれる部分画像Ｈ１を決定する。まず、画像処理部２８は、図５に示すように、画像読取部２２から所定ライン数分の読取データを取得するごとに、その取得した読取データの画像部分を、複数のブロックＢに分割するブロック分割処理を実行する（Ｓ２５）。ラインは、副走査方向に沿ったラインであり、所定ライン数とは、少なくとも１つのブロックＢの幅分のライン数である。以下、所定ライン分のブロックを、ブロック列という。なお、ブロックＢは全て同一サイズであるのが好ましい。これにより、読取画像Ｈは、読取方向の先端から後端に向かって順次、複数のブロックＢに分割されていく。
【００３６】
次に、画像処理部２８は、各ブロック列ごとに、当該ブロック列に含まれる複数のブロックＢそれぞれについて基準画素の数を計数する（Ｓ２６）。そして、画像処理部２８は、その計数結果から、基準画素の数、または、ブロック中の全画素数に対する基準画素数の割合が、２０％以上である基準ブロックＢ１が有るかどうかを判断する（Ｓ２７）。画像処理部２８は、基準ブロックＢ１が無いと判断した場合（Ｓ２７：ＮＯ）、Ｓ２５に戻り、次の所定ライン数分の読取データに基づきブロック分割処理を実行する。
【００３７】
画像処理部２８は、基準ブロックＢ１が有ると判断した場合（Ｓ２７：ＹＥＳ）、この基準ブロックＢ１を含んだ部分画像Ｈ１のデータを生成する部分画像生成処理を実行する。この部分画像Ｈ１は、読取画像Ｈと同一倍率であり、且つ、読取画像Ｈのうち上記表示サイズと同じ画像サイズである。なお、同一倍率とは、倍率が完全に同一である場合に限らず、倍率が数パーセント程度、異なる場合でもよく、要するに、倍率が実質的に同一であればよい。図５の例では、基準ブロックＢ１が、読取画像Ｈの上端から３番目のブロック列中に最初に抽出され、その基準ブロックＢ１を先端とし、且つ、横幅Ｘおよび縦幅Ｙの原稿画像Ｇ１を含む画像が、部分画像Ｈ１とされる。
【００３８】
ＣＰＵ２５は、例えば、最初に抽出した左端の基準ブロックＢ１を起点として、部分画像Ｈ１のデータを、部分画像バッファ２７Ｂに記憶し始め（Ｓ２８）、その記憶された部分画像Ｈ１のデータを、携帯端末３に送信する部分送信処理を開始する（Ｓ２９  図１参照）。具体的には、ＣＰＵ２５は、部分画像Ｈ１のデータ全てが部分画像バッファ２７Ｂに記憶されるのを待たずに、当該部分画像Ｈ１のデータを部分的に順次、携帯端末３に送信する。
【００３９】
図５の例では、ＣＰＵ２５は、部分画像Ｈ１のうち基準ブロックＢ１を含むブロック列のデータを、部分画像バッファ２７Ｂに記憶すると、このブロック列のデータを、携帯端末３に送信し始める。これにより、部分画像Ｈ１のデータの送信を、当該部分画像Ｈ１のデータ全てが部分画像バッファ２７Ｂに記憶されるまで待ってから開始する構成に比べて、部分画像Ｈ１を早期に携帯端末３側に送信してユーザに確認させることが可能である。
【００４０】
（３）携帯端末による画像読取の続行命令の送信等
図２に示すように、携帯端末３のＣＰＵ３５は、複合機２から部分画像Ｈ１のデータを受信する部分受信処理を開始し、部分画像Ｈ１のデータ全ての受信を完了したかどうかを判断する（Ｓ５）。なお、部分画像Ｈ１のデータは、ＲＡＭ３７に記憶される。ＣＰＵ３５は、部分画像Ｈ１のデータ全ての受信を完了したと判断した場合（Ｓ５：ＹＥＳ）、図６に示すように、表示部３３の表示画面３３Ａ全体に、部分画像Ｈ１を表示する部分表示処理を実行し、また、表示画面３３ＡにメッセージＧ４を表示させる（Ｓ６）。このメッセージＧ４は、ユーザに、画像読取の続行の有無を問うためのものである。
【００４１】
上述したように、部分画像Ｈ１は、最終的に携帯端末３に送信したい読取画像Ｈの一部分を、当該読取画像Ｈと同一倍率で表示したものである。このため、ユーザは、この部分画像Ｈ１を見ることにより、解像度、画像の傾き程度、画像の向き、表現色など、読取画像Ｈの画像品質を確認することができる。ユーザは、部分画像Ｈ１が所望の画像品質であれば、操作部３２の決定ボタン３２Ａを押す。すると、ＣＰＵ３５は、画像読取を続行すると判断し（Ｓ７：ＹＥＳ）、画像読取の続行命令を複合機２に送信する（Ｓ８  図１参照）。一方、ユーザは、部分画像Ｈ１が所望の画像品質でなければ、操作部３２の戻るボタン３２Ｂを押す。すると、ＣＰＵ３５は、画像読取を中止すると判断し（Ｓ７：ＮＯ）、画像読取の中止命令を複合機２に送信する（Ｓ９  図１参照）。なお、続行命令は、全体画像要求命令の一例であり、Ｓ８の処理が、要求命令送信処理の一例である。また、部分画像Ｈ１のデータは、読取処理の続行の有無が決定された後に、ＲＡＭ３７から消去してもよいし、次に受信したデータを上書きしてもよい。
【００４２】
（４）複合機による画像読取の続行および中止等
図３に示すように、複合機２のＣＰＵ２５は、携帯端末３から続行命令を受信したかどうかを判断する判断処理を実行する（Ｓ３０）。ＣＰＵ２５は、続行命令を受信したと判断した場合（Ｓ３０：ＹＥＳ）、全体画像バッファ２７Ａに記憶されている読取画像Ｈ全体のデータを、携帯端末３に送信する全体送信処理を開始する（Ｓ３１）。なお、ＣＰＵ２５は、原稿シートＭ全体の読取処理が完了していなくても、全体送信処理を開始する。これにより、原稿シートＭ全体の読取処理が完了するのを待って全体送信処理を開始する構成に比べて、読取画像Ｈ全体のデータを、早期に携帯端末３に送信することができる。ＣＰＵ２５は、読取処理が終了すると（Ｓ３２）、Ｓ２１に戻る。
【００４３】
一方、ＣＰＵ２５は、中止命令を受信したと判断した場合（Ｓ３０：ＮＯ）、この時点で、Ｓ２４で開始した読取処理を中止し（Ｓ３３）、Ｓ２１に戻る。これにより、ユーザから画像読取の中止が指示されたにもかかわらず、無駄に読取処理が続行されることを抑制することが可能である。
【００４４】
（５）携帯端末による読取画像の表示等
図２に示すように、携帯端末３のＣＰＵ３５は、続行命令を送信した後、複合機２から読取画像Ｈ全体のデータを受信する全体受信処理を実行し（Ｓ１０）、ＲＡＭ３７に記憶する。次に、ＣＰＵ３５は、その受信した読取画像Ｈ全体のデータに基づき、当該読取画像Ｈを、表示画面３３Ａの表示サイズに縮小処理する（Ｓ１１）。そして、ＣＰＵ３５は、図７に示すように、その縮小画像Ｈ２を表示部３３に表示させ（Ｓ１２）、Ｓ１に戻る。これにより、ユーザは、読取画像Ｈ全体を表示画面３３Ａにて確認することができる。
【００４５】
（本実施形態の効果）
本実施形態によれば、読取画像Ｈと同一倍率であり、且つ、携帯端末３の表示部３３の表示能力に対応した画像サイズの部分画像Ｈ１のデータが生成され、携帯端末３に送信される。部分画像Ｈ１のデータは、読取画像Ｈ全体のデータに比べてデータ量が少ない分だけ、携帯端末３に短時間で送信することができる。また、部分画像Ｈ１は、その倍率が読取画像Ｈと同一であり、且つ、その画像サイズが、携帯端末３の表示部３３の表示能力に対応しているため、読取画像Ｈの一部分を縮小することなくそのまま表示部３３に表示することができる。これにより、上記従来の技術に比べて、複合機２で読み取られた原稿シートＭの読取画像Ｈを、部分的ではあるが、携帯端末３側で早期、且つ、正確に確認することが可能である。また、携帯端末３側では、読取画像Ｈに対して加工処理等をせずに確認用の部分画像を表示部３３に表示させることができる。
【００４６】
また、読取画像Ｈから、画素値が基準値以上である基準画素が抽出され、その基準画素を含んだ画像サイズの画像が部分画像Ｈ１とされる。これにより、基準画素を抽出せずに部分画像を決定する構成に比べて、原稿画像Ｇ上の文字、図形、記号等が、部分画像に含まれずに携帯端末３の表示部３３で確認できないことが発生することを抑制することが可能である。
【００４７】
しかも、読取画像Ｈが複数のブロックＢに分割され、それら複数のブロックＢから基準ブロックＢ１が抽出される。そして、その基準ブロックＢ１を含んだ画像サイズの画像が部分画像Ｈ１とされる。これにより、１つの基準画素だけで部分画像を決定する構成に比べて、原稿シートＭ上のゴミなどのノイズ画像の影響を抑制することができる。
【００４８】
＜他の実施形態＞
本明細書で開示される技術は上記記述及び図面によって説明した実施形態に限定されるものではなく、例えば次のような種々の態様も含まれる。
【００４９】
上記実施形態では、画像読取装置の一例として、複合機２を挙げた。しかし、これに限らず、画像読取装置は、スキャナ機能のみ有するスキャナ装置単体や、ファクシミリ装置でもよい。
【００５０】
上記実施形態では、通信部の一例として無線通信部２１，３１を例に挙げた。しかし、これに限らず、通信部は、有線方式でデータ通信を行う有線通信部でもよい。但し、無線方式では、有線方式に比べてデータの通信時間が長くなるため、上記画像読取システム１の構成は特に有効である。
【００５１】
上記実施形態では、読取側制御部２３は、ＣＰＵ２５および画像処理部２８等により読取制御処理を実行する構成であった。しかし、これに限らず、読取側制御部２３は、複数のＣＰＵにより読取制御処理を実行する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより読取制御処理を実行する構成でもよい。例えば図３のＳ２５からＳ２７の少なくとも一方を、ＣＰＵ２５が実行する構成でもよい。
【００５２】
上記実施形態では、端末側制御部３４は、ＣＰＵ３５等により受信制御処理を実行する構成であった。しかし、これに限らず、端末側制御部３４は、複数のＣＰＵにより読取制御処理を実行する構成、ＡＳＩＣなどのハード回路のみにより読取制御処理を実行する構成や、１または複数のＣＰＵとハード回路により読取制御処理を実行する構成でもよい。例えば図２のＳ６、Ｓ１１，Ｓ１２の少なくとも一つを、ハード回路が実行する構成でもよい。
【００５３】
上記実施形態では、ユーザが携帯端末３の操作部３２の入力操作により読取指令を入力する例を説明した。しかし、これに限らず、ユーザが複合機２の図示しない操作部の入力操作により読取指令および読取条件を入力する構成でもよい。この場合、端末側制御部３４は、複合機２から、読取条件を含んだ読取命令を受信すると、図２のＳ４以降の処理を実行する。
【００５４】
上記実施形態では、複合機２は、表示能力情報を、携帯端末３から受信する構成であった。しかし、これに限らず、複合機２は、予め、表示能力情報が、携帯端末３の機種ごとに対応付けられて、例えばＲＡＭ２７に記憶された構成でもよい。この場合、複合機２は、現在の送信先の携帯端末３の機種に関する情報を、当該携帯端末３から受信する構成でもよいし、図示しない操作部でのユーザによる入力操作により受け付ける構成でもよい。
【００５５】
読取側制御部２３は、上記読取制御処理において、ブロック分割処理（Ｓ２５からＳ２７）を実行しない構成でもよい。例えば、読取側制御部２３は、ブロック分割処理をせずに、基準画素の抽出処理を実行し、抽出された基準画素を含む画像を部分画像とする構成でもよい。なお、この構成では、互いに隣接する複数の基準画素を含む画像を、部分画像とすれば、原稿シートＭに付着したゴミ等のノイズ画像による影響を抑制することができる。
【００５６】
更に、読取側制御部２３は、基準画素の抽出処理を実行せずに、読取画像Ｈのうち、予め定めた領域の画像を部分画像とする構成でもよい。予め定めた領域の例としては、読取画像Ｈの読取方向先端を含む領域や、文字等を含む可能性が高い読取画像Ｈの中央領域等が挙げられる。
【００５７】
上記実施形態では、部分画像は、最初に基準ブロックＢ１を抽出したブロック列を先端とする部分画像Ｈ１であった。しかし、これに限らず、部分画像は、基準ブロックＢ１を含む画像であればよい。但し、部分画像Ｈ１であれば、基準ブロックＢ１を多く含む可能性が高くなり、携帯端末３において多くも文字等をユーザに確認させることができる。即ち、図５の例では、先端から１列目、２列目のブロック列では基準ブロックＢ１が無いため、部分画像に、これらのブロック列を含めると、その分だけ、部分画像において、基準ブロックＢ１でないブロックＢの占有率が高くなってしまう。これに対し、部分画像Ｈ１は、１列目、２列目のブロック列を含めず、基準ブロックＢ１が含まれる可能性がある４列目以降のブロックを含むため、基準ブロックＢ１でないブロックＢの占有率が高くなることを抑制することができる。
【００５８】
上記実施形態において、読取側制御部２３は、Ｓ２９の部分送信処理を、当該部分画像Ｈ１のデータ全てが部分画像バッファ２７Ｂに記憶されるまで待ってから開始する構成としてもよい。或いは、読取側制御部２３は、部分送信処理を、読取画像Ｈのデータ全てが全体画像バッファ２７Ａに記憶されるまで待ってから開始する構成としてもよい。このような構成であれば、部分画像Ｈ１のデータの送信開始後に、例えば原稿シートＭの搬送異常などにより、部分画像Ｈ１や読取画像Ｈの読取が正常に完了しないといった事態が発生することを抑制することができる。なお、部分送信処理を、読取画像Ｈのデータ全てが全体画像バッファ２７Ａに記憶されるまで待ってから開始するか、待たずに開始するかを、例えば、読取条件の設定時に、携帯端末３の操作部３２の入力操作によってユーザに選択させる構成でもよい。
【００５９】
上記実施形態において、読取側制御部２３は、Ｓ３１の全体送信処理を、原稿シートＭ全体の読取処理が完了した後に開始する構成でもよい。これにより、全体送信処理の開始後に、例えば原稿シートＭの搬送異常などにより、上記読取処理が正常に完了しないといった事態が発生することを抑制することができる。なお、全体送信処理を、原稿シートＭ全体の読取処理が完了した後に開始するか、その完了を待たずに開始するかを、例えば、読取条件の設定時に、携帯端末３の操作部３２の入力操作によってユーザに選択させる構成でもよい。
【００６０】
端末側制御部３４は、受信制御処理において、Ｓ１１，Ｓ１２の処理を実行しない構成でもよい。Ｓ６の部分画像Ｈ１により、ユーザは、読取画像Ｈを部分的に確認できるからである。
【符号の説明】
【００６１】
１：画像読取システム  ２：複合機  ３：携帯端末  ２１，３１：無線通信部  ２２：画像読取部  ２３：読取側制御部  ２７：ＲＡＭ  ２７Ａ：全体画像バッファ  ２７Ｂ：部分画像バッファ  ３３：表示部  ３４：端末側制御部  Ｇ：原稿画像  Ｈ：読取画像  Ｍ：原稿シート
【図１】
2014011613.tif 000003
【図２】
2014011613.tif 000004
【図３】
2014011613.tif 000005
【図４】
2014011613.tif 000006
【図５】
2014011613.tif 000007
【図６】
2014011613.tif 000008
【図７】
2014011613.tif 000009